(57)【要約】  無線通信システムにおいてスイッチドビームアンテナで動作しているＷＴＲＵ（無線送信／受信ユニット）によって、ハンドオフのための測定が行われる。スイッチドビームアンテナは、複数の指向性ビームと、全方向性ビームを生成するスマートアンテナである。ＷＴＲＵは、その全方向性ビーム、および／または１つまたは複数の指向性ビームで、複数のセルからの信号を測定する。ＷＴＲＵは、セルのアクティブなセットにセルに追加するために、全方向性ビームまたは最も強いビームの測定を評価し、ネットワークに報告する。セルのアクティブなセットからセルを取り除くために、ＷＴＲＵは、アクティブなセルのセットと通信するために選択されたアンテナビームの測定値を評価し、ネットワークに報告する。
2007521783.tif 000002
【特許請求の範囲】
【請求項１】
複数のセルを含む無線通信システムにおいて、ＷＴＲＵを動作するための方法であって、前記ＷＴＲＵは、複数の指向性ビームおよび全方向性ビームを含むアンテナビームを生成するためのスイッチビームアンテナを含み、前記方法は、
セルのアクティブセット内の１つまたは複数のセルとデータを交換するために、選択されたアンテナビームを使用することと、
前記全方向性ビームを使用して、セルの前記アクティブセット内のセル群からの信号、およびセルの候補セット内のセル群からの信号を受信することと、
前記全方向性ビームに関する各セルからの前記受信信号を測定することと、
前記測定された信号を比較することと、
セルの前記候補セット内のセルに関する前記測定された信号が、セルの前記アクティブセット内のセルに関する前記測定された信号と比較された際、報告閾値基準を超えるとき、測定レポートをネットワークに送信することと
を備えたことを特徴とする方法。
【請求項２】
前記報告閾値基準は、固定閾値、または前記測定された信号に基づく閾値、および所定の時間間隔中に出現する複数のパラメータに基づく閾値の少なくとも１つを備えたことを特徴とする請求項１に記載の方法。
【請求項３】
前記無線通信システムは、ＣＤＭＡシステムを備えたことを特徴とする請求項１に記載の方法。
【請求項４】
測定される前記受信信号は、パイロット信号を備えたことを特徴とする請求項１に記載の方法。
【請求項５】
前記測定することは、前記受信信号のＳＩＲ、信号対雑音比、および信号強度の少なくとも１つを備えたことを特徴とする請求項１に記載の方法。
【請求項６】
複数のセルを含む無線通信システムにおいて、ＷＴＲＵを動作させるための方法であって、前記ＷＴＲＵは、複数の指向性ビームおよび全方向性ビームを含むアンテナビームを生成するためのスイッチビームアンテナを含み、前記方法は、
セルのアクティブセット内の１つまたは複数のセルとデータを交換するために、選択されたアンテナビームを使用することと、
前記選択されたビームおよび前記全方向性ビームを使用して、セルのアクティブセット内のセル群からの信号、およびセルの候補セット内のセル群からの信号を受信することと、
前記選択されたビームと前記全方向性ビームの両方に関する各セルからの前記受信信号を測定することと、
セルの前記アクティブセット内、およびセルの前記候補セット内の各セルからの、最高値を有する前記測定された信号を選択することと、
前記選択された測定信号を比較することと、
セルの前記候補セット内のセルに関する前記選択された測定信号が、セルの前記アクティブセット内のセルに関する前記選択された測定信号と比較された際、報告閾値基準を超えるとき、測定レポートをネットワークに送信することと
を備えたことを特徴とする方法。
【請求項７】
前記報告閾値基準は、固定閾値、または前記測定された信号に基づく閾値、および所定の時間間隔中に出現する複数のパラメータに基づく閾値の少なくとも１つを備えたことを特徴とする請求項６に記載の方法。
【請求項８】
前記無線通信システムは、ＣＤＭＡシステムを備えたことを特徴とする請求項６に記載の方法。
【請求項９】
測定される前記受信信号は、パイロット信号を備えたことを特徴とする請求項６に記載の方法。
【請求項１０】
前記測定することは、前記受信信号のＳＩＲ、信号対雑音比、および信号強度の少なくとも１つを測定することを備えたことを特徴とする請求項６に記載の方法。
【請求項１１】
複数のセルを含む無線通信システムにおいて、ＷＴＲＵを動作する方法であって、前記ＷＴＲＵは、複数の指向性ビーム、および全方向性ビームを生成するためのスイッチビームアンテナを含み、前記方法は、
セルのアクティブセット内の１つまたは複数のセルとデータを交換するために、選択されたビームを使用することと、
前記複数の指向性ビームおよび前記全方向性ビームを使用して、セルのアクティブセット内のセル群からの信号、およびセルの候補セット内のセル群からの信号を受信することと、
各指向性ビームおよび前記全方向性ビームに関する各セルからの前記受信信号を測定することと、
セルの前記アクティブセット内、およびセルの前記候補セット内の各セルからの、最高値を有する前記測定された信号を選択することと、
前記選択された測定信号を比較することと、
セルの前記候補セット内のセルに関する前記選択された測定信号が、セルの前記アクティブセット内のセルに関する前記選択された測定信号と比較された際、報告閾値基準を超えるとき、測定レポートをネットワークに送信することと
を備えたことを特徴とする方法。
【請求項１２】
前記報告閾値基準は、固定閾値、または前記測定された信号に基づく閾値、および所定の時間間隔中に出現する複数のパラメータに基づく閾値の少なくとも１つを備えたことを特徴とする請求項１１に記載の方法。
【請求項１３】
前記無線通信システムは、ＣＤＭＡシステムを備えたことを特徴とする請求項１１に記載の方法。
【請求項１４】
測定される前記受信信号は、パイロット信号を備えたことを特徴とする請求項１１に記載の方法。
【請求項１５】
前記測定することは、前記受信信号のＳＩＲ、信号対雑音比、および信号強度の少なくとも１つを測定することを備えたことを特徴とする請求項１１に記載の方法。
【請求項１６】
複数のセルを含む無線通信システムにおいて、ＷＴＲＵを動作する方法であって、前記ＷＴＲＵは、複数の指向性ビームおよび全方向性ビームを含むアンテナビームを生成するためのスイッチビームアンテナを含み、前記方法は、
セルのアクティブセット内のセルとデータを交換するために、選択されたビームを使用することと、
セルの前記アクティブセット内の各セル、およびセルの候補セット内の各セルに関して、アンテナビームのそれぞれのサブセットを選択することと、
アンテナビームのそれぞれのサブセットを使用して、セルの前記アクティブセット内のセル群からの信号、およびセルの前記候補セット内のセル群からの信号を受信すること、
アンテナビームのそれぞれのサブセットに関する各セルからの前記受信信号を測定することと、
セルの前記アクティブセット内、およびセルの前記候補セット内の各セルからの、最高値を有する前記測定された信号を選択することと、
前記選択された測定信号を比較することと、
セルの前記候補セット内のセルに関する前記選択された測定信号が、セルの前記アクティブセット内のセルに関する前記選択された測定信号と比較された際、報告閾値基準を超えるとき、測定レポートをネットワークに送信することと
を備えたことを特徴とする方法。
【請求項１７】
前記報告閾値基準は、固定閾値、または前記測定された信号に基づく閾値、および所定の時間間隔中に出現する複数のパラメータに基づく閾値の少なくとも１つを備えたことを特徴とする請求項１６に記載の方法。
【請求項１８】
アンテナビームの前記それぞれのサブセットは、各セルに関して異なることを特徴とする請求項１６に記載の方法。
【請求項１９】
アンテナビームの前記それぞれのサブセットは、各セルに関して同一であることを特徴とする請求項１６に記載の方法。
【請求項２０】
アンテナビームの前記それぞれのサブセットは、前記セルの位置に基づいて選択されることを特徴とする請求項１６に記載の方法。
【請求項２１】
アンテナビームの前記それぞれのサブセットは、前記セルの以前の測定値に基づいて選択されることを特徴とする請求項１６に記載の方法。
【請求項２２】
前記無線通信システムは、ＣＤＭＡシステムを備えたことを特徴とする請求項１６に記載の方法。
【請求項２３】
測定される前記受信信号は、パイロット信号を備えたことを特徴とする請求項１６に記載の方法。
【請求項２４】
前記測定することは、前記受信信号のＳＩＲ、信号対雑音比、および信号強度の少なくとも１つを測定することを備えたことを特徴とする請求項１６に記載の方法。
【請求項２５】
複数のセルを含む無線通信システムにおいて、ＷＴＲＵを動作する方法であって、前記ＷＴＲＵは、複数の指向性ビームおよび全方向性ビームを含むアンテナビームを生成するためのスイッチビームアンテナを含み、前記方法は、
セルのアクティブセット内の１つまたは複数のセルとデータを交換するために、選択されたビームを使用することと、
前記選択されたアンテナビームを使用して、セルの前記アクティブセット内のセル群からの信号、およびセルの候補セット内のセル群からの信号を受信することと、
前記選択されたアンテナビームに関する各セルからの前記受信信号を測定すること、
セルの前記候補セットからのセルのサブセットを、それらに関連する前記測定された信号に基づいて選択することと、
前記複数の指向性ビームおよび前記全方向性ビームを使用して、セルの前記アクティブセット内の各セルからの信号、およびセルの前記サブセット内の各セルからの信号を受信すること、ならびに少なくとも前記選択されたアンテナビームを使用して、セルの前記候補セット内であるが、セルの前記サブセット内ではないセル群からの信号を受信することと、
前記受信信号を測定することと、
セルの前記アクティブセット内の各セル、セルの前記サブセット内の各セル、およびセルの前記候補セット内であるが、セルの前記サブセット内ではない前記セル群からの、最高値を有する前記測定された信号を選択することと、
前記選択された測定信号を比較することと、
セルの前記候補セット内のセルに関する前記選択された測定信号が、セルの前記アクティブセット内のセルに関する前記選択された測定信号と比較された際、報告閾値基準を越えるとき、測定レポートをネットワークに送信することと
を備えたことを特徴とする方法。
【請求項２６】
前記報告閾値基準は、固定の測定回数、および所与の測定回数にわたる固定の測定回数の少なくともいずれかを備えたことを特徴とする請求項２５に記載の方法。
【請求項２７】
セルの前記候補セットからのセルの前記サブセットは、それらに関連する前記測定された信号を閾値と比較することに基づくことを特徴とする請求項２５に記載の方法。
【請求項２８】
前記閾値は、前記ネットワークによって設定されることを特徴とする請求項２５に記載の方法。
【請求項２９】
前記閾値は、セルの前記アクティブセット内のセル群からの測定値を所定の量だけ超えることに基づくことを特徴とする請求項２５に記載の方法。
【請求項３０】
前記無線通信システムは、ＣＤＭＡシステムを備えたことを特徴とする請求項２５に記載の方法。
【請求項３１】
測定される前記受信信号は、パイロット信号を備えたことを特徴とする請求項２５に記載の方法。
【請求項３２】
前記測定することは、前記受信信号のＳＩＲ、信号対雑音比、および信号強度の少なくとも１つを測定することを備えたことを特徴とする請求項２５に記載の方法。
【請求項３３】
各基地局がセルに属する複数の基地局を含む無線通信システムにおいて、ＷＴＲＵを動作する方法であって、前記ＷＴＲＵは、複数の指向性ビームおよび全方向性ビームを含むアンテナビームを生成するためのスイッチビームアンテナを含み、前記方法は、
セルのアクティブセット内の１つまたは複数のセルとデータを交換するために、選択されたビームを使用することと、
前記選択されたアンテナビームを使用して、セルの前記アクティブセット内のセル群からの信号、およびセルの候補セット内のセル群からの信号を受信することと、
各セルからの前記受信信号を測定することと、
セルの前記候補セットからのセルのサブセットを、それらに関連する前記測定された信号に基づいて選択することと、
セルの前記アクティブセット内の各セル、およびセルの前記候補セット内のセルの前記サブセット内の各セルに関して、アンテナビームのサブセットを選択することと、
アンテナビームのそれぞれのサブセットを使用して、セルの前記アクティブセット内のセル群からの信号、およびセルの前記候補セット内のセルの前記サブセットから、ならびに少なくとも前記選択されたアンテナビームを使用して、セルの前記候補セット内のセル群から、信号を受信することと、
アンテナビームのそれぞれのサブセットに関する前記受信信号を測定することと、
セルの前記アクティブセット内の各セル、セルの前記サブセット内の各セル、およびセルの前記候補セット内であるが、セルの前記サブセット内ではないセル群からの、最高値を有する前記測定された信号を選択することと、
前記選択された測定信号を比較することと、
セルの前記候補セット内のセルに関する前記選択された測定信号が、セルの前記アクティブセット内のセルに関する前記選択された測定信号と比較された際、報告閾値基準を越えるとき、測定レポートをネットワークに送信することと
を備えたことを特徴とする方法。
【請求項３４】
前記報告閾値基準は、固定閾値、または前記測定された信号に基づく閾値、および所定の時間間隔中に出現する複数のパラメータに基づく閾値の少なくとも１つを備えたことを特徴とする請求項３３に記載の方法。
【請求項３５】
セルの前記候補セットからのセルの前記サブセットは、それらに関連する前記測定された信号を閾値と比較することに基づくことを特徴とする請求項３３に記載の方法。
【請求項３６】
前記閾値は、前記ネットワークによって設定されることを特徴とする請求項３３に記載の方法。
【請求項３７】
前記閾値は、セルの前記アクティブセット内のセル群からの測定値を所定の量だけ超えることに基づくことを特徴とする請求項３３に記載の方法。
【請求項３８】
アンテナビームの前記それぞれのサブセットは、各セルに関して異なることを特徴とする請求項３３に記載の方法。
【請求項３９】
アンテナビームの前記それぞれのサブセットは、各セルに関して同一であることを特徴とする請求項３３に記載の方法。
【請求項４０】
アンテナビームの前記それぞれのサブセットは、前記セルの位置に基づいて選択されることを特徴とする請求項３３に記載の方法。
【請求項４１】
アンテナビームの前記それぞれのサブセットは、以前の測定値に基づいて選択されることを特徴とする請求項３３に記載の方法。
【請求項４２】
前記無線通信システムは、ＣＤＭＡシステムを備えたことを特徴とする請求項３３に記載の方法。
【請求項４３】
測定される前記受信信号は、パイロット信号を備えたことを特徴とする請求項３３に記載の方法。
【請求項４４】
前記測定することは、前記受信信号のＳＩＲ、信号対雑音比、および信号強度の少なくとも１つを測定することを備えたことを特徴とする請求項３３に記載の方法。
【請求項４５】
セルのアクティブセットと、
セルの候補セットと、
ＷＴＲＵであって、
複数の指向性ビームおよび全方向性ビームを含むアンテナビームを生成するためのスイッチビームアンテナと、
前記全方向性ビームを使用して、セルの前記アクティブセット内のセル群からの信号、およびセルの前記候補セット内のセル群からの信号を受信するための、前記スイッチビームアンテナに接続されたトランシーバと、
前記全方向性ビームに関する各セルからの前記受信信号を測定するための、前記トランシーバに接続された測定ユニットと、
前記測定された信号を比較するため、およびセルの前記候補セット内のセルに関する前記選択された測定信号が、セルの前記アクティブセット内のセルに関する前記選択された測定信号と比較された際、報告閾値基準を越えるとき、測定レポートをネットワークに送信するためのコントローラと
を含むＷＴＲＵと
を備えたことを特徴とする無線通信システム。
【請求項４６】
セルのアクティブセットと、
セルの候補セットと、
ＷＴＲＵであって、
複数の指向性ビームおよび全方向性ビームを含み、セルの前記アクティブセット内の１つまたは複数のセルとデータを交換するために選択されるアンテナビームを生成するためのスイッチビームアンテナと、
前記選択されたビームおよび前記全方向性ビームを使用して、セルの前記アクティブセット内のセル群からの信号、およびセルの前記候補セット内のセル群からの信号を受信するための、前記スイッチビームアンテナに接続されたトランシーバと、
前記選択されたビームと前記全方向性ビームの両方に関する各セルからの前記受信信号を測定するための、前記トランシーバに接続された測定ユニットと、
セルの前記アクティブセット内、およびセルの前記候補セット内の各セルからの最高値を有する前記測定された信号を選択するため、前記選択された測定信号を比較するため、およびセルの前記候補セット内のセルに関する前記選択された測定信号が、セルの前記アクティブセット内のセルに関する前記選択された測定信号と比較された際、報告閾値基準を越えるとき、測定レポートをネットワークに送信するためのコントローラと
を含むＷＴＲＵと
を備えたことを特徴とする無線通信システム。
【請求項４７】
セルのアクティブセットと、
セルの候補セットと、
ＷＴＲＵであって、
複数の指向性ビームおよび全方向性ビームを含み、セルの前記アクティブセット内の１つまたは複数のセルとデータを交換するために選択されるアンテナビームを生成するためのスイッチビームアンテナと、
前記複数の指向性ビームおよび前記全方向性ビームを使用して、セルのアクティブセット内のセル群からの信号、およびセルの候補セット内のセル群からの信号を受信するための、前記スイッチビームアンテナに接続されたトランシーバと、
各指向性ビーム、および前記全方向性ビームに関する各セルからの前記受信信号を測定するための、前記トランシーバに接続された測定ユニットと、
セルの前記アクティブセット内、およびセルの前記候補セット内の各セルからの最高値を有する前記測定された信号を選択するため、前記選択された測定信号を比較するため、およびセルの前記候補セット内のセルに関する前記選択された測定信号が、セルの前記アクティブセット内のセルに関する前記選択された測定信号と比較された際、報告閾値基準を越えるとき、測定レポートをネットワークに送信するためのコントローラと
を含むＷＴＲＵと
を備えたことを特徴とする無線通信システム。
【請求項４８】
セルのアクティブセットと、
セルの候補セットと、
ＷＴＲＵであって、
複数の指向性ビームおよび全方向性ビームを含み、セルの前記アクティブセット内の各セル、およびセルの前記候補セット内の各セルに関して、それぞれのサブセットが選択されるアンテナビームを生成するためのスイッチビームアンテナと、
アンテナビームの前記それぞれのサブセットを使用して、セルの前記アクティブセット内のセル群からの信号、およびセルの前記候補セット内のセル群からの信号を受信するための、前記スイッチビームアンテナに接続されたトランシーバと、
アンテナビームのそれぞれのサブセットに関する各セルからの前記受信信号を測定するための、前記トランシーバに接続された測定ユニットと、
セルの前記アクティブセット内、およびセルの前記候補セット内の各セルからの最高値を有する前記測定された信号を選択するため、前記選択された測定信号を比較するため、およびセルの前記候補セット内のセルに関する前記選択された測定信号が、セルの前記アクティブセット内のセルに関する前記選択された測定信号と比較された際、報告閾値基準を越えるとき、測定レポートをネットワークに送信するためのコントローラと
を含むＷＴＲＵと
を備えたことを特徴とする無線通信システム。
【請求項４９】
セルのアクティブセットと、
セルの候補セットと、
ＷＴＲＵであって、
複数の指向性ビームおよび全方向性ビームを含み、セルのアクティブセット内の１つまたは複数のセルとデータを交換するために選択されるアンテナビームを生成するためのスイッチビームアンテナと、
前記選択されたアンテナビームを使用して、セルの前記アクティブセット内のセル群からの信号、およびセルの前記候補セット内のセル群からの信号を受信するための、前記スイッチビームアンテナに接続されたトランシーバと、
前記選択されたアンテナビームに関する各セルからの前記受信信号を測定するための、前記トランシーバに接続された測定ユニットと、
セルの前記候補セットからのセルのサブセットを、それらに関連する前記測定された信号に基づいて選択するためのコントローラと、
前記複数の指向性ビームおよび前記全方向性ビームを使用して、セルの前記アクティブセット内の各セルからの信号、およびセルの前記サブセット内の各セルからの信号を受信するため、および少なくとも前記選択されたアンテナビームを使用して、セルの前記候補セット内であるが、セルの前記サブセット内ではないセル群からの信号を受信するためでもある前記トランシーバと、
前記受信信号を測定するためでもある前記測定ユニットと、
前記コントローラであって、
セルの前記アクティブセット内の各セル、セルの前記サブセット内の各セル、およびセルの前記候補セット内であるが、セルの前記サブセット内ではない前記セル群からの、最高値を有する前記測定された信号を選択し、
前記選択された測定信号を比較し、
セルの前記候補セット内のセルに関する前記選択された測定信号が、セルの前記アクティブセット内のセルに関する前記選択された測定信号と比較された際、報告閾値基準を越えるとき、測定レポートをネットワークに送信する
ためでもある前記コントローラと
を含むＷＴＲＵと
を備えたことを特徴とする無線通信システム。
【請求項５０】
セルのアクティブセットと、
セルの候補セットと、
ＷＴＲＵであって、
複数の指向性ビームおよび全方向性ビームを含み、セルのアクティブセット内の１つまたは複数のセルとデータを交換するために選択されるアンテナビームを生成するためのスイッチビームアンテナと、
前記選択されたアンテナビームを使用して、セルの前記アクティブセット内のセル群からの信号、およびセルの候補セット内のセル群からの信号を受信するための、前記スイッチビームアンテナに接続されたトランシーバと、
前記選択されたアンテナビームに関する各セルからの前記受信信号を測定するための、前記トランシーバに接続された測定ユニットと、
セルの前記候補セットからのセルのサブセットを、それをもって関連する前記測定された信号に基づいて選択するため、およびセルの前記アクティブセット内の各セル、およびセルの前記候補セット内のセルの前記サブセット内の各セルに関して、アンテナビームのそれぞれのサブセットを選択するためのコントローラと、
アンテナビームの前記それぞれのサブセットを使用して、セルの前記アクティブセット内のセル群からの信号、およびセルの前記候補セット内のセルの前記サブセットからのセル群からの信号を受信するため、および少なくとも前記選択されたアンテナビームを使用して、セルの前記候補セット内の、ただし、前記サブセット内には入っていないセル群からの信号を受信するためでもある前記トランシーバと、
アンテナビームのそれぞれのサブセットに関する各セルからの前記受信信号を測定するためでもある前記測定ユニットと、
前記コントローラであって、
セルの前記アクティブセット内の各セル、セルの前記サブセット内の各セル、およびセルの前記候補セット内であるが、セルの前記サブセット内ではない前記セル群からの、最高値を有する前記測定された信号を選択し、
前記選択された測定信号を比較し、
セルの前記候補セット内のセルに関する前記選択された測定信号が、セルの前記アクティブセット内のセルに関する前記選択された測定信号と比較された際、報告閾値基準を越えるとき、測定レポートをネットワークに送信する
ためでもある前記コントローラと
を含むＷＴＲＵと
を備えたことを特徴とする無線通信システム。
【発明の詳細な説明】
【技術分野】
【０００１】
本発明は、無線通信の分野に関し、より詳細には、マルチセル無線通信システムにおいてスイッチドビームアンテナで動作するモバイルＷＴＲＵのハンドオフに関する。
【背景技術】
【０００２】
無線マルチセル通信システムにおいて、モバイルＷＴＲＵ（無線送信／受信ユニット：Ｗｉｒｅｌｅｓｓ  Ｔｒａｎｓｍｉｔ／Ｒｅｃｅｉｖｅ  Ｕｎｉｔ）は、通常、１つのセルから別のセルに移動する。ＷＴＲＵがセルの境界を渡ると、ハンドオフが開始する。ハンドオフは、アクティブセル内の通信を中断せずに別のセルに移す手続きである。ソフトハンドオフの間、同一のデータが、ＷＴＲＵと２つのセルの間で送受信される。
【０００３】
「アクティブセット」という専門用語は、ＷＴＲＵと通信している（すなわち、データを送受信している）セルのセットを指す。１つまたは複数のセルは、セルのアクティブセット内にある。
【０００４】
ソフトハンドオフをサポートするために、ＷＴＲＵは、アクティブセット内のセル群、および近隣のセル群から受信した信号に関する物理的測定を実行する。それらの測定値は、１つまたは複数のトリガイベントの発生に基づき、ネットワークに、またはネットワークコントローラに報告される。無線通信システムの要件に依存して、測定報告のための複数の閾値を設定してもよい。
【０００５】
例えば、ＣＤＭＡ２０００（Ｃｏｄｅ  Ｄｉｖｉｓｉｏｎ  Ｍｕｌｔｉｐｌｅ  Ａｃｃｅｓｓ  ２０００）システムにおいて、たとえば、ＷＴＲＵは、アクティブセット内のセル群、および近隣のセル群によって送信されたパイロット信号の強度を測定する。近隣のセルからのパイロット信号の強度が、所定のパイロット検出閾値Ｔ＿ＡＤＤを超えた場合、またはセルのアクティブセット内のセルからのパイロット信号を、０．５×Ｔ＿ＣＯＭＰ  ｄＢだけ超えた場合（ここで、Ｔ＿ＣＯＭＰは比較閾値である）、ＷＴＲＵは、その測定結果をネットワークに報告する。ＷＴＲＵによって報告されたその測定結果に基づき、ネットワークは、目標セル内で、そのＷＴＲＵにチャネルを割り当てるか否かを決定する。
【０００６】
ＣＤＭＡ２０００システムのような一部のシステムにおいて、隣接セル群の強度がネットワーク指定の閾値を超えたが、セルのアクティブセット内に入るのに十分に強力ではない近隣セル群は、セルの「候補セット」と呼ばれる。測定レポートは、セルが候補セットに追加される場合、およびセルがアクティブセットとみなされるのに十分強力である場合に、ネットワークに送られる。「候補セット」という専門用語は、以降、ネットワーク指定の閾値を満たした場合に、ＷＴＲＵが、測定値をネットワークに報告する近隣のセルのセット（すなわち、アクティブセット内に入っていないセル群）を指す。ＣＤＭＡ２０００候補セットは、この一例に過ぎない。
【０００７】
「選択されたビーム」という用語は、データ送受信のためにＷＴＲＵが使用するアンテナビームを指す。スイッチドビーム（ｓｗｉｔｃｈｅｄ  ｂｅａｍ）アンテナを使用するＷＴＲＵは、通常、選択されたビームを使用して、近隣のセル群に対して測定を実行する。測定報告に関するトリガイベントは、選択されたビームを使用して行われた測定に基づく。
【０００８】
測定報告に関する閾値（例えば、Ｔ＿ＡＤＤおよび／またはＴ＿ＣＯＭＰ）は普通、ＷＴＲＵが、スイッチビームアンテナの代わりに、全方向性アンテナを使用するという想定下で、確立される。スイッチビームアンテナ（すなわち、スマートアンテナ）は、無線通信システムにおいて信号強度を有利に増加するナロービーム（Ｎａｒｒｏｗ  Ｂｅａｍ）を生成する。しかし、ＷＴＲＵが、スイッチビームアンテナを使用して、サービス提供（ｓｅｒｖｉｎｇ）基地局と通信する場合、そのアンテナを特定の方向へ向け、したがって、近隣のセル群からの信号に対する物理的測定は、アンテナ方向によって影響されるかもしれない。
【０００９】
ＢＳ（基地局）１６０を含むサービス提供セルとの通信において、切り替えられる指向性ビーム１４０を利用するＷＴＲＵ  １２０を含む、従来の無線通信システム１００は、図１に示されている。指向性ビーム１４０のゲインは特定の方向に向けられているので、近隣のセル内の基地局１８０からの信号は、たとえ近隣のセルがサービス提供セル１６０より近い場合でさえ、適切に検出されないかもしれない。
【発明の開示】
【発明が解決しようとする課題】
【００１０】
近隣のセル群からの受信信号電力は、振幅が低すぎて、ネットワークへの測定レポートの送信をトリガしないかもしれない。このため、ソフトハンドオフが、トリガされない可能性があり、高い割合のハードハンドオフがもたらされ、通信断（Ｄｒｏｐｐｅｄ  Ｃａｌｌ）の数が増える可能性がある。
【課題を解決するための手段】
【００１１】
前述の背景に鑑みて、本発明の目的は、マルチセル無線通信システムにおいてスイッチドビームアンテナで動作するモバイルＷＴＲＵの接続を維持することである。
【００１２】
本発明による、上記または他の目的、特徴、利点は、無線通信システムにおけるスイッチドビームアンテナで動作するモバイルＷＴＲＵのハンドオフのための測定を実行するための方法によって提供される。
【００１３】
スイッチドビームアンテナは、複数の指向性ビームおよび全方向性ビームを生成するスマートアンテナであってよい。ＷＴＲＵは、その全方向性ビーム、および／または１つまたは複数の指向性ビームで、複数のセルからの信号を測定する。ＷＴＲＵは、全方向性ビームまたは指向性ビームの測定を評価し、ネットワークに報告し、最も強い測定でセルをセルのアクティブセットに追加する。また、ＷＴＲＵは、セルのアクティブセットからセルを除去するために、セルのアクティブセット内のアンテナビームの測定を評価し、ネットワークに報告する。
【００１４】
アンテナビーム測定を実行し、測定値をネットワークに報告するための方法の第１の実施形態は、全方向性ビームにおいて信号を受信し、測定することに基づく。
【００１５】
アンテナビーム測定を実行し、測定値をネットワークに報告するための方法の第２の実施形態は、セルのアクティブセット内のセルとデータを交換するために使用される選択された指向性ビーム、および全方向性ビームにおいて、信号を受信し、測定することに基づく。
【００１６】
アンテナビーム測定を実行し、測定値をネットワークに報告するための方法の第３の実施形態は、アンテナビームのすべてにおいて信号を受信し、測定することに基づく。
【００１７】
アンテナビーム測定を実行し、測定値をネットワークに報告するための方法の第４の実施形態は、アンテナビームのそれぞれのサブセットにおいて信号を受信し、測定することに基づく。アンテナビームのそれぞれの各サブセットは、各セルで異なることが可能である。アンテナビームのそれぞれのサブセットは、セルの位置に基づいて選択されてもよく、かつ／またはセル群の前の測定値および／または他の任意のパラメータもしくは基準に基づいて選択されてもよい。
【００１８】
アンテナビーム測定を実行し、測定値をネットワークに報告するための方法の第５の実施形態は、すべてのビームを使用して、セルの候補セットからのセルのサブセット内の信号を受信し、測定することに基づく。セルの候補セットからのセルのサブセットは、それらに関連する測定された信号を閾値と比較することに基づいて選択されてもよい。閾値は、ネットワークによって設定されてよく、あるいは閾値は、セルのアクティブセット内のセル群からの測定値を所定の量だけ超えることに基づいてもよい。
【００１９】
アンテナビーム測定を実行し、測定値をネットワークに報告するための方法の第６の実施形態は、セルの候補セットからのセルのサブセット、ならびにアンテナビームのそれぞれサブセットにおいて信号を受信し、測定することに基づく。
【００２０】
選択されたビームだけを測定のために使用する場合、近隣のセル群からの受信信号電力は、ネットワークへの測定レポートの送信をトリガするのに振幅が低過ぎるかもしれない。このため、ソフトハンドオフが、トリガされない可能性がある。このため、より高い割合のハードハンドオフがもたらされ、通信断の数が増える可能性がある。
【００２１】
本発明では、ＷＴＲＵは、全方向性ビームおよび／または指向性ビームにおいてセル群から受信した信号の測定を有利に評価し、ネットワークに報告し、最も強い測定でセルをセルのアクティブセットに追加する。第１ないし第６の実施形態において信号を測定することに基づいてセルのアクティブセットにセルを追加することによって、ソフトハンドオフが改善されて、マルチセル無線通信システムにおいてスイッチドビームアンテナで動作するモバイルＷＴＲＵの接続が、より良く維持されるようになる。
【００２２】
本発明の別の態様は、セルのアクティブセット、セルの候補セット、および第１ないし第６の実施形態を実装するためのＷＴＲＵを含む無線通信システムを対象とする。ＷＴＲＵは、スイッチドビームアンテナ、スイッチドビームアンテナに接続されたトランシーバ、受信信号を測定するためにトランシーバに接続された測定ユニット、および測定された信号を比較するためのコントローラを含むことが可能であり、セルの候補セット内のあるセルに関する測定値が、セルのアクティブセット内にあるセルに関する測定値より高い場合などの報告基準を満たしたときに、測定レポートをネットワークに送信する。
【発明を実施するための最良の形態】
【００２３】
本発明は、本発明の好ましい実施形態が示されている添付の図面を参照して、以下により完全に説明される。しかし、本発明は、多くの異なる形式で具体化されてよく、本明細書に記載された実施形態に限定されるものと解釈すべきでない。むしろ、これらの実施形態は、本開示が徹底し、完全であり、当業者に本発明の範囲を十分に伝えるように提供されている。同じ番号は、全体にわたって同じ要素を指す。
【００２４】
図２および図３を最初に参照して、無線通信システム２００、およびその無線通信システムにおいて動作するためのＷＴＲＵ２２０について説明する。ＷＴＲＵ２２０は、複数の指向性ビーム２４０と全方向性ビーム２５０を含むアンテナビームを生成するためのスイッチドビームアンテナ２３０を含む。図示される指向性ビーム２４０は、ハンドオフの前または後で、サービス提供セル２６０と通信するためのスイッチドビームである。以下により詳細に説明するとおり、全方向性ビーム２５０および／または指向性ビーム２４０は、近隣のセル群２８０からの信号を測定することによってトリガイベントの検出を含む、ハンドオフに使用される。
【００２５】
基地局２６０、２８０は、当業者には直ちに理解されるとおり、無線環境におけるサイトコントローラ、アクセスポイント、あるいは、他の任意のタイプのインタフェースデバイスであってよい。無線通信システム２００は、当業者には直ちに理解されるとおり、例えば、ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）、ＣＤＭＡ（Ｃｏｄｅ  Ｄｉｖｉｓｉｏｎ  Ｍｕｌｔｉｐｌｅ  Ａｃｃｅｓｓ）２０００システム、および一般ＣＤＭＡに適用されるＴＤＤ（Ｔｉｍｅ  Ｄｉｖｉｓｉｏｎ  Ｄｕｐｌｅｘｉｎｇ）、ＦＤＤ（Ｆｒｅｑｕｅｎｃｙ  Ｄｉｖｉｓｉｏｎ  Ｍｕｌｔｉｐｌｅｘｉｎｇ）、およびＴＤ−ＳＣＤＭＡ（ｔｉｍｅ  ｄｉｖｉｓｉｏｎ  ｓｙｎｃｈｒｏｎｏｕｓ  ｃｏｄｅ  ｄｉｖｉｓｉｏｎ  ｍｕｌｔｉｐｌｅ  ａｃｃｅｓｓ）に適用可能であってよい。
【００２６】
ＷＴＲＵ２２０は、たとえば、ＵＥ（ユーザ機器：Ｕｓｅｒ  Ｅｑｕｉｐｍｅｎｔ）、移動局、移動加入者ユニット、およびポケットベルなどの、無線環境において動作可能なデバイスを含む。ＷＴＲＵ２２０は、図３に示されるとおり、スイッチドビームアンテナ２３０に接続されたビームスイッチングユニット３２０、ビームスイッチングユニットに接続されたトランシーバ３４０、およびトランシーバに接続された測定ユニット３６０を含む。測定ユニット３６０は、異なるセルから受信した信号を測定する。ＣＤＭＡシステムの場合、パイロット信号がそれらの測定のために使用されるのは好ましい。しかし、セルから送信される他の任意の信号を、この目的のために使用してもよい。
【００２７】
コントローラ３８０は、トランシーバ３４０、測定ユニット３６０、およびビームスイッチングユニット３２０に、これらの制御のために接続される。閾値ユニット３９０も、コントローラ３８０に接続される。閾値ユニット３９０は、測定ユニット３６０によって実行される測定との比較のために使用される閾値を格納するためのメモリを含んでもよい。以下により詳細に説明するとおり、閾値は、コントローラ３８０によって設定される予備候補および候補セルのためのパラメータを含む。
【００２８】
次に、スイッチドビームアンテナで動作しつつ、アンテナビーム測定を実行し、測定値をネットワークに報告するための方法の６つの異なる好ましい実施形態を説明する。この実施形態のすべてにおいて、測定のために使用されるビームに関わらず、選択されたビームは、セルのアクティブセット内の基地局と通信するために使用されつづける。
【００２９】
スイッチドビームアンテナ２３０で動作しつつ、アンテナビーム測定を実行し、測定値をネットワークに報告するための方法の第１の実施形態は、図４のフロー図に示される。開始（ブロック４００）から、ＷＴＲＵ２２０は、ブロック４０２において、セルのアクティブセット内の１つまたは複数のセルとデータを交換するために、選択されたアンテナビームを使用し、ブロック４０４において、全方向性ビーム２５０を使用して、セルのアクティブセット内のセル群から、およびセルの候補セット内のセル群からの信号を受信する。ブロック４０６において、全方向性ビーム２５０に関する受信信号が測定される。
【００３０】
ＷＴＲＵ２２０は、ブロック４０８において、全方向性ビーム２５０において測定された信号を比較する。セルの候補セット内のセルに関する測定された信号が、セルのアクティブセット内のセルに関する測定された信号と比較された際、報告閾値基準を超えるとき、測定レポートは、ブロック４１０において、ネットワークに送信される。方法は、ブロック４１２で終了する。この処理は、実行されるべき次の測定セットに関して、ブロック４００から繰り返される。
【００３１】
第２の実施形態は、図５のフロー図に示されている。開始（ブロック５００）から、ＷＴＲＵ２２０は、選択されたアンテナビームを、ブロック５０２で、セルのアクティブセット内のセルとデータを交換するために使用する。
【００３２】
ブロック５０４において、選択された指向性ビームおよび全方向性ビームを使用して、セルのアクティブセット内のセル群から、およびセルの候補セット内のセル群から、信号を受信する。ブロック５０６において、選択された指向性ビームと全方向性ビームの両方に関する受信信号が測定される。ブロック５０８において、セルのアクティブセット内、およびセルの候補セット内における各セルからの最高値を有する測定信号が、選択される。つまり、各セルに関して、最高の測定信号（全方向性ビーム測定、または選択された指向性ビーム測定）が、選択される。
【００３３】
ブロック５１０において、選択された測定信号が比較される。セルの候補セット内のセルに関する選択された測定信号群が、セルのアクティブセット内のセルに関する選択された測定信号群と比較された際、報告閾値基準を超えるとき、ブロック５１２において、測定レポートが、ネットワークに送信される。この方法は、ブロック５１４で終了する。この処理は、実行されるべき次の測定セットに関して、ブロック５００から繰り返される。
【００３４】
第３の実施形態は、図６のフロー図に示されている。開始（ブロック６００）から、ブロック６０２において、選択されたアンテナビームは、セルのアクティブセット内の１つまたは複数のセルとデータを交換するために使用され、ブロック６０４において、複数の指向性ビームおよび全方向性ビームを使用して、セルのアクティブセット内のセル群から、およびセルの候補セット内のセル群から、信号が受信される。
【００３５】
ブロック６０６において、各指向性ビームおよび全方向性ビームに関して、受信信号が測定される。ブロック６０８において、最高値を有する測定信号は、セルのアクティブセット内およびセルの候補セット内の各セルから、選択される。つまり、各セルに関して、最高の測定信号（全方向性ビーム測定または最高の指向性ビーム測定）が、選択される。ブロック６０１０において、選択された測定信号が比較される。セルの候補セット中のセルに関する選択された測定信号群が、セルのアクティブセット内のセルに関する選択された測定信号群と比較された際、報告閾値基準を超えるとき、ブロック６１２において、測定レポートは、ネットワークに送信される。この方法はブロック６１４で終了する。この処理は、実行されるべき次の測定セットに関して、ブロック６００から繰り返される。
【００３６】
第４の実施形態は、図７のフロー図に示されている。開始（ブロック７００）から、ブロック７０２において、選択されたアンテナビームが、セルのアクティブセット内の１つまたは複数のセルとデータを交換するために使用され、ブロック７０４において、セルのアクティブセット内の各セル、およびセルの候補セット内の各セルに関して、アンテナビームのサブセットが、選択される。各セルに関するアンテナビームのサブセットは、すべてのセルに関して同一であることができ、またはセルの位置などのパラメータもしくは基準、および／または過去の測定値などの他の情報に依存して、各セルに関して異なることもできる。
【００３７】
ブロック７０６において、アンテナビームのそれぞれのサブセットを使用して、セルのアクティブセット内のセル群から、およびセルの候補セット内のセル群からの信号が受信される。ブロック７０８において、アンテナビームのそれぞれのサブセットに関する受信信号が測定される。ブロック７１０において、セルのアクティブセット内、およびセルの候補セット内の各セルから、最高値を有する測定信号が選択される。つまり、各セルに関して、最高の測定信号が、選択される。
【００３８】
ブロック７１２において、それらの選択された測定信号が比較される。セルの候補セット中のセルに関する選択された測定信号群が、セルのアクティブセット内のセルに関する選択された測定信号群と比較された際、報告閾値基準を超えるとき、ブロック７１４において、測定レポートは、ネットワークに送信される。この方法は、ブロック７１６で終了する。この処理は、実行されるべき次の測定セットに関して、ブロック７００から繰り返される。
【００３９】
第５の実施形態は、図８のフロー図に示される。開始（ブロック８００）から、選択されたアンテナビームは、ブロック８０２において、セルのアクティブセット内の１つまたは複数のセルとデータを交換するために使用される。ブロック８０４において、選択されたアンテナビームを使用して、セルのアクティブセット内のセル群から、およびセルの候補セット内のセル群から、信号が受信される。
【００４０】
ブロック８０６において、選択されたアンテナビームに関して、受信信号が測定される。ブロック８０８において、セルの候補セットからのセルのサブセットが、測定された信号に基づいて選択される。セルのサブセットを選択する際、ＷＴＲＵ２２０は、例えば、それらのセルの測定結果、セルが所定の閾値を超える測定結果を有すること、またはセルが所定の閾値だけアクティブセットセル測定値を超える測定結果を有することに基づき、その選択を行うことが可能である。随意的に、セルのサブセットは、測定されたセルのすべてを含んでもよい。
【００４１】
ブロック８１０において、複数の指向性ビームおよび全方向性ビームを使用して、セルのアクティブセット内の各セルから、およびセルのサブセット内の各セルからの信号が、受信され、少なくとも選択されたアンテナビームを使用して、セルの候補セット内のセル群であるが、セルのサブセット内には入っていないセル群からの信号が、受信される（随意的に、より多くのビームが、これらのセルに使用されうる）。ブロック８１２において、受信信号が測定される。
【００４２】
ブロック８１４において、セルのアクティブセット内の各セルから、セルのサブセット内の各セルから、およびセルの候補セット内であるが、セルのサブセット内ではないセル群から、最高値を有する測定信号が、選択される。つまり、各セルに関して、最高の測定信号が選択される。
【００４３】
ブロック８１６において、選択された測定信号が比較される。セルの候補セット内のセルに関する選択された測定信号群が、セルのアクティブセット内のセルに関する選択された測定信号群と比較される際、報告閾値基準を超えるとき、ブロック８１８において、測定レポートが、ネットワークに送信される。この方法は、ブロック８２０で終了する。この処理は、実行されるべき次の測定セットに関して、ブロック８００から繰り返される。
【００４４】
第６の実施形態は、図９のフロー図に示される。開始（ブロック９００）から、ブロック９０２において、選択されたアンテナビームが、セルのアクティブセット内の１つまたは複数のセルとデータを交換するために使用される。ブロック９０４において、選択されたアンテナビームを使用して、セルのアクティブセット内のセル群から、およびセルの候補セット内のセル群からの信号を受信する。ブロック９０６において、受信信号が測定される。
【００４５】
ブロック９０８において、セルのサブセットは、測定信号に基づいてセルの候補セットから選択される。セルのサブセットを選択する際、ＷＴＲＵ２２０は、例えば、それら測定結果、セルが所定の閾値を超える測定結果を有すること、またはセルが所定の閾値だけアクティブセットセル測定値を超える測定結果を有することに基づき、その選択を行ってもよい。随意的に、セルのサブセットは、測定されたセルのすべてを含んでよい。
【００４６】
ブロック９１０において、セルのアクティブセット内の各セル、およびセルの候補セルのサブセット内の各セルに関して、アンテナビームのサブセットが選択される。前述したとおり、各セルに関するアンテナビームのサブセットは、すべてのセルに関して同一としてもよく、またはセルの位置などのパラメータもしくは基準、および／または過去の測定値などの他の情報に依存して、各セルに関して異なってもよい。
【００４７】
ブロック９１２において、アンテナビームのそれぞれのサブセットを使用して、セルのアクティブセット内のセル群から、およびセルの候補セット内のセルのサブセットから、信号が受信され、少なくとも選択されたアンテナビームを使用して、セルの候補セット内であるが、セルのサブセット内ではないセル群からの信号が、受信される（随意的に、より多くのビームが、これらのセルのために使用されうる）。ブロック９１４において、アンテナビームのそれぞれのサブセットに関して、受信信号が測定される。ブロック９１６において、セルのアクティブセット内の各セル、セルのサブセット内の各セル、およびセルの候補セット内であるが、セルのサブセット内には入っていないセル群からの、最高値を有する測定信号が、選択される。つまり、各セルに関して、最高の測定信号が、選択される。
【００４８】
ブロック９１８で、それらの選択された測定信号が、比較される。セルの候補セットに中のセルに関する選択された測定信号群が、セルのアクティブセット内のセルに関する選択された測定信号群と比較された際、報告閾値基準を超えたとき、ブロック９２０で、測定レポートが、ネットワークに送信される。この方法は、ブロック９２２で終了する。この処理は、実行されるべき次の測定セットに関して、ブロック９００から繰り返される。
【００４９】
上記の第１ないし第６の実施形態において、セルのアクティブセット内のあるセルから選択されたアンテナビームにおける測定信号が、報告閾値基準を下回った場合、ＷＴＲＵ２２０は、ネットワークに通知することが好ましい。全方向性ビーム測定値を使用するなどの、他の方法が使用されうる。
【００５０】
第１ないし第６の実施形態において、閾値報告基準は、通常ネットワークによって提供され、事前（ｐｒｉｏｒｉ）に、または命令によって、ＷＲＴに知られている任意のそのような基準である。報告閾値基準は、例えば、セルの個々の測定値、セルの測定値の組み合わせ、例えば、個々の測定値の平均を考慮に入れることを伴うことがあり、任意のタイプの測定値または測定値群、例えば、ＳＩＲ（信号対干渉比：Ｓｉｇｎａｌ  ｔｏ  Ｉｎｔｅｒｆｅｒｅｎｃｅ  Ｒａｔｉｏ）もしくは平均ＳＩＲ、信号対雑音比、および信号強度を伴うことがある。さらに、閾値報告基準は、考慮すべき複数のパラメータ、例えば、固定閾値、他の測定値に基づく閾値、および測定の回数、または測定のパーセンテージ（５回中３回など）を含んでもよく、その間、測定レポートを作成する前にある条件が成立していなければならない。
【００５１】
背景技術のセクションで説明したとおり、ＣＤＭＡ２０００などの一部のシステムにおいて、ネットワーク指定の閾値の強度を超えたが、アクティブセット内に入るだけ十分に強力ではない近隣セル群は、候補セットと呼ばれる。測定報告は、セルが候補セットに追加される場合、およびセルがアクティブセットに考慮されるに十分に強力である場合に、ネットワークに送信される。
【００５２】
ＷＴＲＵは、利点として、セルのアクティブセットにセルを追加するために、最も強い測定値で、全方向性ビームおよび／または指向性ビームにおけるセル群から受信された信号の測定を評価し、ネットワークに報告する。第１ないし第６の実施形態において、信号を測定することに基づいてセルのアクティブセットにセルを追加することにより、ソフトハンドオフが改良され、マルチセル無線通信システムにおいてスイッチビームアンテナで動作するモバイルＷＴＲＵの接続性が、より良く維持されるようになる。
【００５３】
本発明の別の態様は、セルのアクティブセット２６０、セルの候補セット２８０、および第１ないし第６の実施形態を実施するための前述したＷＴＲＵ２２０を含む無線通信システム２００を対象とする。詳細には、ＷＴＲＵ２２０は、測定信号を比較するための、およびセルの候補セット内のあるセルに関する選択された測定信号が、セルのアクティブセット内のあるセルに関する選択された測定信号と比較された際、報告閾値基準を超えるとき、測定レポートをネットワークに送信するためのコントローラ３８０を含む。
【００５４】
第１ないし第６の実施形態は、候補セット内のセル群に関して測定を実行する。しかし、一部のケースにおいて、近隣セルからの信号が、候補セットに追加される閾値を超えないほど選択されたビームにおいて、あまりにも大幅に減衰していることがある。これは、さらに、ソフトハンドオーバーに遅れて入る原因となり、ソフトハンドオーバーに入る前に、新たなセルの中に深く入り込む原因となるであろう。
【００５５】
次に、図１０のフロー図を参照すると、本発明のさらに別の態様は、選択されたビーム測定だけが実行された場合に、近隣セルが通常候補セットに識別されるよりも前に、候補セットとして識別できるように候補セット内のセル群以外の近隣セルにおいて測定を実行するための方法を対象とする。セルの候補セット、またはセルのアクティブセット内に入っていない近隣セル群は、セルの「予備候補」セット内に入っている。以下の閾値が、使用される。
【００５６】
Ｔｔｈｒｅｓｈ＝予備候補セットに関する、ＷＴＲＵ定義の閾値（予備候補セット追加閾値としても知られる）であるとする。
【００５７】
Ｔａｄｄ＝候補セットにセルを追加し、測定をネットワークに報告することに関する、ネットワーク定義の閾値（候補セット追加閾値としても知られる）であるとする。
【００５８】
Ｔｄｒｏｐ＿ｃ＝候補セットからセルを除去し、測定をネットワークに報告することに関する、ネットワーク定義の閾値（候補セットドロップ閾値としても知られる）であるとする。
【００５９】
Ｔｄｒｏｐ＿ａ＝セルのアクティブセット内のあるセルの測定をネットワークに報告することに関し、ＷＴＲＵにそのセルをセルのアクティブセットから除去するよう、ネットワークが指示するという見込まれる結果を伴う、ネットワーク定義の閾値（アクティブセットドロップ閾値としても知られる）であるとする。
【００６０】
Ｔ＿ＣＯＭＰ＝候補セルが、セルのアクティブセット内のセルを越えることになる差分を指定してネットワークへの測定レポートをトリガするネットワーク定義の値であって、これにより、ネットワークがＷＴＲＵにセルのアクティブセットにこの候補セルを追加するよう指示する結果となることが見込まれ得る値とする。
【００６１】
Ｔ＿ＣＯＭＰＡ＝ＷＴＲＵ定義の閾値≧Ｔ＿ＣＯＭＰであるとする。
【００６２】
予備候補セット、候補セット、およびセルのアクティブセットに、セルを追加するための手続きが、図１０に示される。開始（ブロック１０００）から、ブロック１００２において、選択されたアンテナビームは、セルのアクティブセット内の１つまたは複数のセルとデータを交換するために使用される。ブロック１００４において、選択されたアンテナビームを使用して、セルのアクティブセット内に入っていない複数のセルから、信号が受信される。ブロック１００６において、セルのアクティブセット内に入っていないセル群からの受信信号が測定される。
【００６３】
ブロック１００８において、この測定された信号は、Ｔｔｈｒｅｓｈ閾値と比較される。アクティブセット内に入っていないあるセルの信号強度（選択されたアンテナビームにおいて測定された）が、Ｔｔｈｒｅｓｈを超えた場合、そのセルは、ＷＴＲＵ２２０によって保持される予備候補セット内に入れられる。Ｔｔｈｒｅｓｈは、Ｔａｄｄ以下である。ブロック１０１０において、セルの予備候補セット内のセル群は、次にそれらの測定された信号のレベルに基づいてランク付けされる。
【００６４】
ブロック１０１２において、全方向性ビーム、および選択されたアンテナビームを使用して、セルの予備候補セット内の上位にランク付けされたＮ個のセルから、信号が受信される。Ｎは、１以上である。ブロック１０１４において、全方向性ビーム、および選択されたアンテナビームに関するＮ個のセルのそれぞれから、受信信号が測定される。
【００６５】
ブロック１０１６において、測定信号は、Ｔａｄｄ閾値と比較され、Ｔａｄｄ閾値との比較（すなわち、Ｔａｄｄ閾値を超える場合）に基づき、セルの予備候補セットからの対応するセル群は、予備候補セットからセルの候補セットへ移動される。ブロック１０１８において、候補セットに移動された各セルに関して、測定レポート（全方向性ビーム測定値を伴う）が、ネットワークに送信される。
【００６６】
さらに、全方向性ビーム２５０において測定された候補セットの信号強度が、全方向性ビームにおいて測定されたセルのアクティブセット内のいずれかの１つまたは複数のセルの信号強度より、Ｔ＿ＣＯＭＰだけ大きい場合、測定レポート（候補セルの全方向測定（ｏｍｎｉ−ｍｅａｓｕｒｅｍｅｎｔ）を伴う）は、ネットワークに送信される。ネットワークは、通常、この候補セルをセルのアクティブセットに移動させるよう、ＷＴＲＵ２２０に指示する。このように、セルの予備候補セットの使用により、ＷＴＲＵ２２０は全方向のみの（ｏｍｉｎｉ−ｏｎｌｙ）ＷＴＲＵが行うであろう時点により近くで、セルをセルのアクティブセットに追加することが可能になる。方法は、ブロック１０２０で終了する。方法は、次の測定セットに関して、ブロック１０００で繰り返す。
【００６７】
セルの候補および予備候補セットからセルを除去する（ドロップする）ための手続きは、以下のとおりである。ある予備候補セルの選択されたビーム信号強度が、Ｔｔｈｒｅｓｈを下回って低下するとき、その予備候補セルは、予備候補セットから除去される（そのセルが、選択されたビームのみにおいて測定されているか、または選択されたアンテナビームおよび全方向性ビームにおいて測定されているかに関わらず）。
【００６８】
ある候補セルの全方向性ビーム信号強度が、Ｔｄｒｏｐ＿ｃを下回って低下するとき、そのセルは、セルの候補セットからドロップされ、測定レポートが、ネットワークに送信される（その全方向性ビーム測定値とともに）。このセルは、その選択されたビーム信号強度が、Ｔｔｈｒｅｓｈを超えるとき、セルの予備候補セット内に入れられる。
【００６９】
セルのアクティブセットからセルをドロップするための手続きは、以下のとおりである。ａ）セルのアクティブセット内の、あるセルの選択されたアンテナビーム信号強度が、Ｔｄｒｏｐ＿ａを下回って低下し、かつ、そのセルの全方向性ビーム信号強度が、Ｔａｄｄを下回る場合、および／またはｂ）セルのアクティブセット内の、あるセルの選択されたビーム信号強度が、Ｔｄｒｏｐ＿ａを下回って低下し、かつ、そのセルに関する全方向性ビーム信号強度が、アクティブセット内の最良のセルの全方向性ビーム信号強度（ＳＩＲ＿Ｂｅｓｔ）よりも、Ｔ＿ＣＯＭＰＡだけ低い場合、および／またはｃ）セルのアクティブセット内の、あるセルの選択されたアンテナビーム信号強度が、Ｔｔｈｒｅｓｈを下回って低下し、かつ、Ｔｔｈｒｅｓｈ≦Ｔｄｒｏｐ＿ａである場合、以下が真となる。
【００７０】
測定レポート（選択されたアンテナビーム測定値を伴う）は、ネットワークに送信される。ネットワークは、ＷＴＲＵ２２０がセルのアクティブセットからそのセルを除去するよう、指示するものと見込まれる。ひとたび除去されると、そのセルは、選択されたアンテナビーム信号強度がＴｔｈｒｅｓｈを超える場合のみ、セルの予備候補セット内に入れられる。
【００７１】
全方向性ビーム測定値は、セルの異なるセットにセルを追加するのに使用され、選択されたアンテナビーム測定値は、セルの異なるセットからセルをドロップするのに使用される。ピンポン作用を回避するため、ドロップ考慮事項ａ）、ｂ）、ｃ）のそれぞれは、セルが、セルの候補またはアクティブセットに即時に戻って追加されないであろうことを保障する。
【００７２】
ａ）に関して、全方向性ビーム測定値は、Ｔａｄｄを下回っていなければならず、これにより、セルが、候補セットに戻って追加されることが防止される。ｂ）に関して、全方向性ビーム測定値は、アクティブセット内の最良のセルをはるかに下回っていなければならず、セルのアクティブセット内により劣ったセルが存在しない限り、このセルは、セルのアクティブセットに戻って追加されないだろう。ｃ）に関して、Ｔｔｈｒｅｓｈを下回る信号強度を有するセルは、セルの予備候補セットにさえ戻って追加されないだろう。
【００７３】
セルのアクティブセットからセルをドロップするための以上の手続きは、１つのセルが常にアクティブセット内に残ることを想定している。セルをドロップすることに関する一例は、以下のとおりである。すなわち、Ｔａｄｄ＝−１４ｄＢ、Ｔｄｒｏｐ＿ａ＝−１６ｄＢ、Ｔｔｈｒｅｓｈ＝−２２ｄＢ、およびＴ＿ＣＯＭＰＡ＝３ｄＢである。
【００７４】
ＷＴＲＵ２２０は、以下の場合にセルのアクティブセットからのセルドロップという結果をかなり確実にもたらす、選択されたアンテナビーム測定値を、報告する。それは、アクティブセットセル信号強度が、選択されたアンテナビームにおいて−１６ｄＢを下回り、かつ、全方向性ビームにおいて−１４ｄＢを下回っている場合、アクティブセットセル信号強度が、選択されたアンテナビームにおいて−１６ｄＢを下回り、かつ、全方向性ビームにおいて、最良のアクティブセットセルより３ｄＢを超えて下回る場合、およびアクティブセットセル信号強度が、全方向性ビーム測定値に関わらず、選択されたアンテナビームにおいて−２２ｄＢを下回る場合である。
【００７５】
前述した手続きのすべてにおいて、閾値との比較に基づいて行われるアクションは、測定値に基づくこと、あるいは条件（例えば、閾値を超えること、または下回って低下すること）が、指定された測定回数で、または指定された測定回数内の測定のある割合で、当てはまらなければならない、待ち時間の後であってよい。
【００７６】
以上の説明、および関連する図面において提示される教示の利益を有する当業者は、本発明の多数の変更、およびその他の実施形態を想定するだろう。したがって、本発明は、開示された特定の諸実施形態に限定されず、変更形態および実施形態が、添付の特許請求の範囲に含まれることが意図されていることを理解されたい。
【図面の簡単な説明】
【００７７】
【図１】先行技術による無線通信システム、およびそのシステム内で動作するＷＴＲＵ（無線送信／受信ユニット）を示す概略図である。
【図２】本発明による無線通信システム、およびそのシステム内で動作するＷＴＲＵ（無線送信／受信ユニット）を示す概略図である。
【図３】図２に示されたＷＴＲＵを示すブロック図である。
【図４】図２に示された無線通信システムにおいてＷＴＲＵのハンドオフに関する測定を実行するための実施形態を示すフロー図である。
【図５】図２に示された無線通信システムにおいてＷＴＲＵのハンドオフに関する測定を実行するための実施形態を示すフロー図である。
【図６】図２に示された無線通信システムにおいてＷＴＲＵのハンドオフに関する測定を実行するための実施形態を示すフロー図である。
【図７】図２に示された無線通信システムにおいてＷＴＲＵのハンドオフに関する測定を実行するための実施形態を示すフロー図である。
【図８】図２に示された無線通信システムにおいてＷＴＲＵのハンドオフに関する測定を実行するための実施形態を示すフロー図である。
【図９】図２に示された無線通信システムにおいてＷＴＲＵのハンドオフに関する測定を実行するための実施形態を示すフロー図である。
【図１０】図２に示された無線通信システムに関して、セルの予備候補セットに基地局を追加することに関するフロー図である。
【図１】
2007521783.tif 000003
【図２】
2007521783.tif 000004
【図３】
2007521783.tif 000005
【図４】
2007521783.tif 000006
【図５】
2007521783.tif 000007
【図６】
2007521783.tif 000008
【図７】
2007521783.tif 000009
【図８】
2007521783.tif 000010
【図９】
2007521783.tif 000011
【図１０】
2007521783.tif 000012
【国際調査報告】
2007521783.tif 000013
2007521783.tif 000014
2007521783.tif 000015